(57)【要約】      （修正有）【課題】背凭れ下端の連結部両側に設けられた貫通孔に消音プラグを挿設することにより、座受けフレームと組み合わせて使用する際に騒音が発生することを防ぐ椅子の背凭れの消音構造を提供する。【解決手段】椅子の背凭れの消音構造は、背凭れ支持杆４０の下端に設けられた連結部４１の両側には、消音プラグ５０が挿設される貫通孔４２がそれぞれ設けられる。消音プラグ５０は、背凭れ支持杆４０の連結部４１に設けられた貫通孔４２に嵌入される固定部５１と、中央部に設けられた貫通溝５２とを有する。消音プラグ５０はプラスチックからなる。【選択図】図４
0003182519.tif 000002
【実用新案登録請求の範囲】
【請求項１】
背凭れ支持杆の下端に設けられた連結部の両側には、消音プラグが挿設される貫通孔がそれぞれ設けられた椅子の背凭れの消音構造であって、
前記消音プラグは、前記背凭れ支持杆の前記連結部に設けられた前記貫通孔に嵌入される固定部と、中央部に設けられた貫通溝と、を有することを特徴とする椅子の背凭れの消音構造。
【請求項２】
前記消音プラグはプラスチックからなることを特徴とする請求項１に記載の椅子の背凭れの消音構造。
【考案の詳細な説明】
【技術分野】
【０００１】
本考案は、椅子の背凭れの消音構造に関するものであり、さらに詳しくは、背凭れ下端の連結部両側に設けられた貫通孔に消音プラグを挿設することにより、座受けフレームと組み合わせて使用する際に騒音が発生することを防ぐ椅子の背凭れの消音構造に関するものである。
【背景技術】
【０００２】
ユーザが椅子に座ったときの快適度を高めるために、弾性的に揺動可能な背凭れを有する椅子が市販されている。このような椅子は、図１に示すように、背凭れ支持杆１０の下端に、連結部１１が設けられている。この連結部１１には、貫通孔１２が設けられている。背凭れ支持杆１０の連結部１１が、座受けフレーム２０底部の突片２１間に嵌入され、各突片２１の貫通孔２２と連結部１１の貫通孔１２とにピン２３がそれぞれ挿入されると、突片２１間に背凭れ支持杆１０が枢着され、座受けフレーム２０の固定孔２５と、背凭れ支持杆１０の位置規制孔１３とにボルト２４が挿設されてスプリング群３０が螺着され、背凭れ支持杆１０の一端が座受けフレーム２０に枢着される。そのため、背凭れ支持杆１０がスプリング群３０の弾性回復力により座受けフレーム２０に密着され、この構造により、ユーザが座ると、背凭れ支持杆１０が弾性的に移動可能な範囲を有し、図２及び図３に示すように、背凭れ支持杆１０の連結部１１と座受けフレーム２０の突片２１とがピン２３により連結され、背凭れ支持杆１０が外力を受けて後ろへ傾くと、連結部１１の貫通孔１２中でピン２３が摩擦を発生させながら回転するが、背凭れ支持杆１０及びピン２３が金属からなるため、長期間使用すると摩耗し、また錆の発生および騒音の発生の虞があり、ユーザにとって快適に使用することができないという問題があった。
【０００３】
椅子の消音構造については、特開２００２−５８７１８号公報（以下、「特許文献１」という。）及び特許第３２９０３２９号公報（以下、「特許文献２」という。）には、椅子の背もたれ部に配設された袋体にコンプレッサー等からなるエア供給装置から圧搾空気と給排気する経路中に消音手段を備えたエアマッサージ機が記載されている。
【０００４】
しかし、特許文献１及び特許文献２に記載のエアマッサージ機には背凭れ部の接続部分の消音構造については開示がない。
【特許文献１】特開２００２−５８７１８号公報
【特許文献２】特許第３２９０３２９号公報
【考案の概要】
【考案が解決しようとする課題】
【０００５】
本考案の課題は、背凭れ支持杆の下端に設けられた連結部を座受けフレームと組み合わせて使用する際、騒音の発生を防ぐ椅子の背凭れの消音構造を提供することにある。
【課題を解決するための手段】
【０００６】
そこで、本考案者は、前記課題を解決するため鋭意検討を重ねた結果、前記連結部の両側に貫通孔を形成させ、該貫通孔に嵌入する消音プラグとからなる構造により前記課題を解決できることに着目し、本考案に想到するに至った。
【０００７】
すなわち、本考案によれば、背凭れ支持杆の下部に設けられた連結部の両側に、消音プラグが挿設される貫通孔がそれぞれ設けられ、消音プラグは、背凭れ支持杆の連結部に形成された貫通孔に嵌入される固定部と、中央部に設けられた貫通溝を有するものであり、座受けフレームと組み合せて使用する際、騒音の発生を防止した椅子の背凭れ消音構造を提供するものである。
【０００８】
かくして、本考案によれば、背凭れ支持杆の下端に設けられた連結部の両側には、消音プラグが挿設される貫通孔がそれぞれ設けられた椅子の背凭れの消音構造であって、前記消音プラグは、前記背凭れ支持杆の前記連結部に設けられた前記貫通孔に嵌入される固定部と、中央部に設けられた貫通溝と、を有することを特徴とする椅子の背凭れの消音構造が提供される。
【０００９】
前記消音プラグはプラスチックからなることが好ましい。
【考案の効果】
【００１０】
本考案は前記の通りの構成からなり、構成が簡素であるばかりでなく、椅子の使用に際して発生する金属摩擦等による摩擦防止及び錆の発生防止に加えて騒音を消音することができ、また長期にわたって消音効果を維持することができる。
【図面の簡単な説明】
【００１１】
【図１】図１は、従来の椅子の背凭れの消音構造を示す分解斜視図である。
【図２】図２は、従来の椅子の背凭れの消音構造の動作を示す模式図である。
【図３】図３は、従来の椅子の背凭れの消音構造を示す断面図である。
【図４】図４は、本考案の一実施形態に係る椅子の背凭れの消音構造を示す分解斜視図である。
【図５】図５は、本考案の一実施形態に係る椅子の背凭れの消音構造の動作を示す模式図である。
【図６】図６は、本考案の一実施形態に係る椅子の背凭れの消音構造の動作を示す断面図である。
【考案を実施するための形態】
【００１２】
以下、本考案の実施形態について図面に基づいて説明する。なお、これによって本考案が限定されるものではない。
【００１３】
図４を参照する。図４に示すように、本考案の一実施形態に係る椅子の背凭れの消音構造は、背凭れ支持杆４０の下端に設けられた連結部４１の両側に貫通孔４２が設けられ、貫通孔４２に消音プラグ５０が挿設される。この消音プラグ５０は、背凭れ支持杆４０の連結部４１の貫通孔４２内に嵌入される固定部５１と、中央部に設けられた貫通溝５２とを有するとともに材質が非金属材料、例えば、プラスチックからなるものである。
【００１４】
図５及び図６に示すように、本実施形態の背凭れ支持杆４０の連結部４１が座受けフレーム２０の底部に設けられた突片２１間に嵌入され、突片２１と、連結部４１の貫通孔４２に挿設される消音プラグ５０の貫通溝５２とにピン２３を挿設させ、座受けフレーム２０の突片２１間に背凭れ支持杆４０を枢着し、ボルト２４を座受けフレーム２０の固定孔２５と、背凭れ支持杆４０の位置規制孔４３とへ挿入した後、スプリング群３０を螺着する。背凭れ支持杆４０の一端が座受けフレーム２０に枢着され、背凭れ支持杆４０がスプリング群３０の弾性回復力により座受けフレーム２０に密着され、背凭れ支持杆４０が外力を受けて圧迫されると、消音プラグ５０及びピン２３を中心として連結部４１が揺動し、背凭れ支持杆が後方に傾くとスプリング群３０が圧迫され、背凭れ支持杆４０に加えられた圧力がリリースされると、背凭れ支持杆４０下方のスプリング群３０の弾性回復力を受けて背凭れ支持杆４０が押されて元の位置に戻り、背凭れ支持杆４０が圧力を受けて後方へ傾いたり元の位置に復位したりする際、消音プラグ５０の貫通溝５２内でピン２３が回転する。消音プラグ５０がプラスチックからなるため、金属からなるピン２３と摩擦する際、騒音が発生したり錆が発生したりすることを防ぐことができる。
【００１５】
上述したことから分かるように、本考案の椅子の背凭れの消音構造は、背凭れ支持杆４０下端の連結部４１に設けられた貫通孔４２に消音プラグ５０を挿設する技術手段は新規性を有する。
【００１６】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１０  背凭れ支持杆
１１  連結部
１２  貫通孔
１３  位置規制孔
２０  座受けフレーム
２１  突片
２２  貫通孔
２３  ピン
２４  ボルト
２５  固定孔
３０  スプリング群
４０  背凭れ支持杆
４１  連結部
４２  貫通孔
４３  位置規制孔
５０  消音プラグ
５１  固定部
５２  貫通溝
【図１】
0003182519.tif 000003
【図２】
0003182519.tif 000004
【図３】
0003182519.tif 000005
【図４】
0003182519.tif 000006
【図５】
0003182519.tif 000007
【図６】
0003182519.tif 000008